(57)【要約】【課題】演奏時に楽譜が演奏者や指揮者に見やすい電子楽譜表示システムを提供すること。【解決手段】演奏する曲のプログラムを記憶するプログラム記憶手段１２と、前記プログラムの電子楽譜情報を記憶する楽譜情報記憶手段１３と、縦長に並置され横長の画像表示面を有する複数の表示手段２０Ａ，２０Ｂを備えた電子楽譜表示装置３と、前記楽譜情報記憶手段に記憶された電子楽譜情報を前記表示手段に表示するために座標変換する座標変換手段１６と、前記表示手段により表示される楽譜の操作を入力する入力手段１７，１９と、前記座標変換手段により変換された電子楽譜情報の前記表示手段への表示を、前記入力手段により入力された操作に基づき制御する制御手段１１とを有する。【選択図】　図４
2004145220.tif 000002
【特許請求の範囲】
【請求項１】
演奏する曲のプログラムを記憶するプログラム記憶手段と、
前記プログラムの電子楽譜情報を記憶する楽譜情報記憶手段と、
縦長に並置され横長の画像表示面を有する複数の表示手段を備えた電子楽譜表示装置と、
前記楽譜情報記憶手段に記憶された電子楽譜情報を前記表示手段に表示するために座標変換する座標変換手段と、
前記表示手段により表示される楽譜の操作を入力する入力手段と、
前記座標変換手段により変換された電子楽譜情報の前記表示手段への表示を、前記入力手段により入力された操作に基づき制御する制御手段とを有して成ることを特徴とする電子楽譜表示システム。
【請求項２】
前記入力手段は、前記電子楽譜表示装置に表示され、表示された部分に接触することによって表示される楽譜の操作の入力が可能なことを特徴とする請求項１記載の電子楽譜表示システム。
【請求項３】
前記入力手段は、楽譜の表示に用いられる前記表示手段の数を設定する機能を有することを特徴とする請求項２記載の電子楽譜表示システム。
【請求項４】
前記入力手段は、前記表示手段の１つに表示される楽譜のページ数を設定する機能を有することを特徴とする請求項２又は３記載の電子楽譜表示システム。
【請求項５】
前記入力手段は、前記表示手段に表示される楽譜の更新されるページ数を設定する機能を有することを特徴とする請求項４記載の電子楽譜表示システム。
【発明の詳細な説明】
【０００１】
【発明の属する技術分野】
本発明は、楽譜を電子的に表示する電子楽譜表示装置に関する。
【０００２】
【従来の技術】
オーケストラ、吹奏楽や合唱は、中央に指揮者がおり、この指揮者を囲むように数十人の演奏者が配列して曲を演じている。各演奏者は、前方に各演奏者用の楽譜が載置された楽譜スタンドを置いて、演奏している。この楽譜は、演奏する曲の楽譜が紙に印刷された冊子になっている。
【０００３】
通常、演奏しようとする楽譜は、複数頁の構成となっており、指揮者および演奏者は、一つの曲が終了するまでの演奏中に楽譜の頁を順次めくる必要が発生する。演奏中に、タイミング良く頁をめくる作業は、大変難しく、失敗したときには、演奏を中断もしくは演奏の善し悪しに影響する。また、頁数の多い楽譜の場合には、譜面めくり専門の担当者を用意するか、又は一部の演奏者が演奏を中断して頁めくりをする必要があった。
【０００４】
これらの課題を解決する技術としては、特許文献１に記載されている「楽譜表示装置」や特許文献２に記載されている「電子譜面台及び電子譜面の表示方法」が知られている。
【０００５】
特許文献１記載の「楽譜表示装置」は、譜面ディスプレイ上に情報を入力する情報入力手段を設け、この情報入力手段の操作により譜面めくりを行う装置であり、特許文献２記載の「電子譜面台及び電子譜面の表示方法」は、譜面ディスプレイに表示譜面の更新の制御手段を設け、取り込んだ音データと譜面データを比較し、その差をトレースして譜面めくりを行う方法や、フットスイッチなどを使用して譜面めくりを行う方法などである。
【０００６】
しかしながら、特許文献２記載の「電子譜面台及び電子譜面の表示方法」では、（１）楽譜には演奏楽器に応じて多数の楽器の演奏内容が記載されているため、全体の構成や次の演奏内容を理解することを目的として、出来るだけ大きな表示サイズで楽譜を表示してことが望まれるが、表示装置の１画面内に入る最大サイズの譜面を容易に表示することが配慮されていない、（２）また、同様に同時に表示を行う楽譜のページ数を出来るだけ多く表示することが望まれるが、複数の表示装置を用いて楽譜を表示する配慮をしていない、（３）楽譜のページ送りにはフットスイッチを用いているが、１回のフットスイッチの操作によるページ送り数の選択については固定されており、利用者が任意にページ送りの枚数を設定することができない、などの問題がある。また、特許文献１記載の「楽譜表示装置」も、上記（１）〜（３）に対する配慮がなされていない。
【０００７】
【特許文献１】
・特開平６−４０７１号公報
【特許文献２】
・特開２０００−２３１３７９号公報
【０００８】
【発明が解決しようとする課題】
本発明は、上述のような従来の電子楽譜表示装置などの問題点に鑑みてなされたもので、
演奏時に楽譜が演奏者や指揮者に見やすい電子楽譜表示システムを提供することを目的とする。
【０００９】
【課題を解決するための手段】
上記目的を達成するために、請求項１の電子楽譜表示システムは、演奏する曲のプログラムを記憶するプログラム記憶手段と、前記プログラムの電子楽譜情報を記憶する楽譜情報記憶手段と、縦長に並置され横長の画像表示面を有する複数の表示手段を備えた電子楽譜表示装置と、前記楽譜情報記憶手段に記憶された電子楽譜情報を前記表示手段に表示するために座標変換する座標変換手段と、前記表示手段により表示される楽譜の操作を入力する入力手段と、前記座標変換手段により変換された電子楽譜情報の前記表示手段への表示を、前記入力手段により入力された操作に基づき制御する制御手段とを有して成ることを特徴とする。
【００１０】
この請求項１の発明によれば、楽譜が縦長に表示されるので、演奏者や指揮者にとって見やすい楽譜表示が行える利点がある。
【００１１】
前記入力手段は、前記電子楽譜表示装置に表示され、表示された部分に接触することによって表示される楽譜の操作の入力が可能である。したがって、表示される楽譜の操作を演奏者や指揮者が容易に行うことができる。
【００１２】
本発明の請求項３によれば、請求項２記載の電子楽譜表示システムにおいて、前記入力手段は、楽譜の表示に用いられる前記表示手段の数を設定する機能を有する。したがって、楽譜を表示させる表示手段の数を、演奏者や指揮者が容易に変更することができる。
【００１３】
本発明の請求項４によれば、請求項２又は３記載の電子楽譜表示システムにおいて、前記入力手段は、前記表示手段の１つに表示される楽譜のページ数を設定する機能を有する。したがって、表示される楽譜のページを演奏者や指揮者の好みに合わせて容易に変更することができる。
【００１４】
本発明の請求項５によれば、請求項４記載の電子楽譜表示システムにおいて、前記入力手段は、前記表示手段に表示される楽譜の更新されるページ数を設定する機能を有する。したがって、表示される楽譜の更新されるページを演奏者や指揮者の好みに合わせて容易に変更することができる。
【００１５】
【発明の実施の形態】
以下、本発明による電子楽譜表示システムの一実施形態について図面を用いて説明する。図１は、この実施形態によって、オーケストラによる演奏を行っている状態を示す図である。指揮者１と数十人の演奏者１ｂ〜１ｎにより曲を演奏する。指揮者１及び演奏者１ｂ〜１ｎは、前方に楽譜スタンド２を置いて、この楽譜スタンドに表示した電子楽譜を見て演奏する。電子楽譜は、各楽譜スタンド２に組み込まれている電子楽譜表示装置３に設けられた複数の表示手段、例えば液晶表示装置に表示される。
【００１６】
次に、上記電子楽譜表示システムの構成について、図１及び図２を参照して説明する。図２に本発明を適用した一実施形態の電子楽譜表示システム１０の斜視図を示す。この電子楽譜表示システムは電子楽譜表示装置３を有する。電子楽譜表示装置３は、譜面ディスプレイの一例となる液晶型ディスプレイ２０を２面配置（２０Ａ，２０Ｂ）し、各液晶ディスプレイ２０Ａ，２０Ｂの表面には利用者の操作信号を入力するためのタッチパネルが液晶ディスプレイに一体化して取り付けられる。さらに、これらディスプレイ装置を駆動する処理装置５を有し、楽譜スタンド２に取り付けられている。
【００１７】
液晶ディスプレイの通常の設置方向として、縦方向の長さが短く、横方向の長さが長い、いわゆる横長方向に設置されて使用される。一方、液晶ディスプレイに表示される楽譜は、一般的に縦方向が長い縦長方向である。このため、このままでは液晶ディスプレイの表示可能エリアを有効に使用することは困難である。そこで本実施形態では、液晶ディスプレイを縦長方向に、角度を９０度変更し、２つ並べて液晶ディスプレイ２０Ａ，２０Ｂとし楽譜スタンド２に取り付けている。
【００１８】
従って、液晶ディスプレイ２０に情報を表示する場合は、そのままでは正常に表示されないものとなる。このため、Ｘ−Ｙ方向の座標情報を変換し、Ｘ−ＹをＹ−Ｘの座標に変換して表示する機能を設けている。
【００１９】
また、楽譜スタンド２には液晶型ディスプレイ２０Ａ，２０Ｂに表示した電子楽譜のページ送りを操作するフットペダル４が入力手段の１つとして設けられている。さらに、同時に複数ページの楽譜が表示されている場合に、ページ更新を１ページずつ行うか、あるいは２ページずつ行うかの選択を可能とする入力手段と、入力手段により設定された更新ページの設定状態の表示を行うことを可能とする入力・表示手段２１を設けている。これらページ更新情報の設定と状態表示は一体型の構成としている。
【００２０】
図３は、図２に示した電子譜面表示装置３の上部に設けられた譜面台の拡大図である。譜面台に設けられた２つの液晶型ディスプレイ２０Ａ，２０Ｂに電子楽譜４０を計２ページ分、表示した例を示す。
【００２１】
楽器の演奏において、バイオリンやピアノなどの両手を使用する楽器の演奏を行う際には、手を自由に使用することが難しい。従って、楽譜のページめくりを行う場合においても、パソコンなどに用いられるマウスやキーボードなどのインターフェースを電子楽譜表示装置で使用することは好ましく無い。このため、液晶型ディスプレイ２０の一方の画面には、各種の制御機能を有するメニュー形式の表示部（メニューバー）３０を設けている。このメニューバー３０には、楽譜の表示形式や画面サイズに合わせて最適な状態に表示することを容易に行うことができるように、後述する各種機能を持たせている。
【００２２】
また、ページの更新状態選択と表示とを実施可能な入力・表示手段２１を有する。
【００２３】
図４に、この実施形態の電子楽譜表示システム１０の機能ブロックを示す。プログラム記憶手段１２には演奏する曲のプログラムが記憶されている。電子楽譜に関する情報は楽譜情報記憶手段１３に保存されている。楽譜情報はＭＩＤＩ規格に準拠したデータフォーマットで保存されていれば楽譜形態による表示も容易に行えるが、紙に書かれた譜面をスキャナ等で読み取って電子化し、頁の情報を付加して保存しても良い。
【００２４】
表示手段２０Ａ、２０Ｂは液晶画面であり、これら２面の液晶画面に電子楽譜４０は表示される。楽譜情報記憶手段１３からこの表示手段２０Ａ、２０Ｂは縦方向に９０度向きを変更して取り付けているため、表示情報の座標を変換する座標変換手段１６にて座標情報を９０度変換する機能を設けている。
【００２５】
また、表示手段２０Ａには利用者が電子楽譜表示システム１０の操作を行うために、入力手段１９が設けられている。この入力手段１９は、表示手段２０Ａの画面上に接して設けられたタッチパネルにて構成されている。利用者はタッチパネルを操作することにより、制御手段１１に対して演奏開始や終了などの制御情報を入力することが可能となる。
【００２６】
入力手段１７と表示手段１８は、表示手段２０Ａ、２０Ｂに表示された電子楽譜４０が複数ページ表示されている場合に、ページ更新を１ページずつ行うか、あるいは２ページずつ行うかの選択と状態表示を行うものである。切替機能として、押しボタンスイッチを有し、状態表示として「ＰＡＧＥ１」又は「ＰＡＧＥ２」等の表示を行い、どちらの設定となっているかを利用者に認識させるものである。入力手段１７にて選定されたページの切替え信号は、制御手段１１に入力され、ページ更新時の制御情報として使用される。
【００２７】
４は入力手段の１つとして楽譜のページ更新を利用者が手を使わずに行うことができるものとして、フットペダルで構成されている。このフットペダル４を踏むことで、ページ更新情報が制御手段１１に入力される。
【００２８】
制御手段１１は、入力手段１７のページ更新数の設定情報と、フットペダル４からのページ更新操作信号を受け、楽譜情報の抽出を抽出手段１４に指令信号を発信する。抽出手段１４は、制御手段１１からの信号を受け、該当する楽譜情報を楽譜情報記憶手段１３から抽出する。抽出された楽譜情報は、座標変換手段１６においてＸ−Ｙの方向の座標を変換し、表示手段２０Ａ、２０Ｂに表示される。
【００２９】
プログラム記憶手段１２には、上記に記載する各動作を制御手段１１に実行させるためのプログラムが保存されており、これにより制御手段を動作させる。
【００３０】
次に、電子楽譜表示システム１０の使用モードについて図１〜図５を基に説明する。操作フローを示したフローチャートである図５に従って、以下、説明を行う。まず、電源を「ＯＮ」（Ｆ−２）操作することにより、座標変換手段１６を実現する縦横変換ソフトが起動し（Ｆ−３）、これにより縦方向に設置した表示手段２０Ａ、２０Ｂへの表示情報がＸ−Ｙ座標の変換が実施され、利用者が通常視認しやすい方向に変換されて表示される。
【００３１】
次に、利用者が対話操作を行うメニューバー３０（Ｆ−４）が表示される。次に、表示させたい電子楽譜の選曲を行うため、楽譜情報記憶手段１３に保存されている電子楽譜ファイルの呼出し操作（Ｆ−７）を行う。この呼出しの結果、選択された曲の情報が楽譜情報記憶手段１３から抽出され、表示手段２０Ａ、表示手段２０Ｂに表示される。
【００３２】
利用者は、フットスイッチ４により楽譜のページ更新を行い演奏（Ｆ−９）を実施する。
【００３３】
演奏が終了した場合、図６に示すメニューバー３０の「終了」（Ｆ−１０）の操作することにより、電子楽譜表示ソフトは停止する（Ｆ−１１）。電子楽譜表示装置の使用を終了する場合は、メニューバー３０の消去（Ｆ−１３）を操作し、電源が自動的にＯＦＦ状態（Ｆ−１４）となり、装置の停止（Ｆ−１５）となる。
【００３４】
一方、メニューバー３０が表示された時点から停止（Ｆ−１２）することも可能である。
【００３５】
次にメニューバーの制御機能について、図１〜図７により説明する。図６はメニューバー３０の表示名称を示したものである。また、図７は、各制御機能の構成を階層的に示したものである。
【００３６】
図６において、メニューバー３０の「開始」（Ｇ−１）操作を行うと、電子楽譜の表示機能が起動する。この表示機能により、保存された電子情報を、五線譜や音符、音楽記号などの楽譜形状に変換するもので、一般に普及しているソフトウェアにて容易に実現可能である。「複数頁」（Ｇ−２）と右左方向の矢印「→」、「←」（Ｇ−５）、「Ｄ移動」（Ｇ−７）は、画面内の表示位置を制御する機能である（Ｈ−３）。
【００３７】
「複数頁」（Ｇ−２）は、楽譜が複数ページから構成されている場合において、１画面当りの頁数の設定（Ｈ−２）を行うものである。このボタンを操作することで、表示形式を複数頁にするか、単一頁とするかの設定が切り替わる。これにより、総譜であれば複数ページに表示し、より多くの情報を得ることが可能となり、また、パート譜であれば、単一ページの表示として、視線の移動を軽減した表示を行う等のように、利用者の目的に合致した選定が容易に可能となる。
【００３８】
右左方向の矢印「→」、「←」（Ｇ−５）、は表示された楽譜４０の位置を微調整し、最適な表示位置に表示させる機能で、各ボタンには一定数の座標を強制的に移動させるものとしており、詳細は後述する。（Ｇ−５）に示すの移動方向の制御は、楽譜の大きさにより、表示される楽譜の位置を調整する場合に用いるものである。
【００３９】
「Ｄ移動」（Ｇ−７）は画面に表示されたダイアログ表示位置が、遠く離れた位置となった場合に、操作し難いものとなる。この際など、強制的に表示位置を変更する座標を加えるものである。
【００４０】
「片画面」、「全画面」（Ｇ−４）は表示端末数の制御（Ｈ−４）を行うもので、同時に使用する表示手段を１つとする場合は「片画面」、２つ同時に使用したい場合は「全画面」の選択を行う。
【００４１】
「片画面」の場合は、制御手段１１は表示手段−（１Ａ）２０のみに表示情報が伝達する。また、「全画面」の場合は、制御手段１１は、表示手段２０Ａと表示手段２０Ｂの両方に表示情報を伝達する。これにより、表示端末数の制御が実施される。
【００４２】
「改頁←」、「改頁→」（Ｇ−５）は、頁送り／戻しの制御（Ｈ−５）を行うものである。「改頁←」はページ送りを行い、「改頁→」はページ戻しの信号を制御手段１１に入力する。利用者が演奏する場合、通常はフットペダルにより制御を行うが、タッチパネルからの操作も可能とすることで、リハーサルなどにおいての利便性が飛躍的に向上する。
【００４３】
「保存１」、「保存２」、「呼出１」、「呼出２」（Ｇ−６）は、フォーマットを保存したり、また呼出す制御（Ｈ−６）を行うものである。本機能を用いることで、楽譜を最適な表示サイズに調整したデータをそのまま保存し、再度呼出しすることで再使用が可能で、改めて設定する作業が低減される。
【００４４】
次に、図７の画面内の表示位置（Ｈ−３）の調整機能のうち、移動方向の制御の仕方について、図８を基に説明する。図８は、表示手段２０Ａに楽譜４０を表示した例である。
【００４５】
図８に示す様に、楽譜４０は楽譜の縦方向のスペース５０を最小限として、楽譜４０の表示サイズを決定する。この際、横方向のサイズ５１は、Ａ４やＢ５などの楽譜のフォーマットの縦横の比により決定する。従って、縦方向は最適なサイズ５２であるが、横方向については最適なサイズとなっていない場合が生ずる。
【００４６】
表示手段２０Ａ、２０Ｂ上には予め定められた表示座標を基点として楽譜が表示されるが、自動設定の場合でも最適な位置からずれて表示される場合が生ずる。この場合、表示手段２０Ａと表示手段２０Ｂの間に、１枚の楽譜が分割して表示される場合も発生することなる。こうした分割された表示では、楽譜４０の判読がしずらく、また、見誤りの発生も懸念される。このため、利用者は、最適なサイズに楽譜４０を表示するため、表示された楽譜のサイズを調整する制御を行う必要がある。
【００４７】
メニューバー３０の右左方向の矢印「→」や「←」（Ｇ−５）のボタンには、一定量の表示座標を割り当ててあり、これらのボタンを操作することにより、呼び出された楽譜４０の表示位置を移動させる。これにより、横方向においても最適なサイズに調整することが可能となる。
図９は表示手段２０Ａ、表示手段２０Ｂを使用して、複数頁の楽譜４０を同時に表示しているブロック図である。図９（ａ）では１ページずつ更新を行う場合でＰ１とＰ２を初期に表示したものが、Ｐ２とＰ３、Ｐ３とＰ４と順次１ページずつ更新されている。
【００４８】
一方、図９（ｂ）では２ページずつ更新を行う場合の各頁の表示状態を示している。初期状態はＰ１とＰ２であるが、Ｐ３とＰ４、Ｐ５とＰ６の様に、２ページずつ更新されている。この様に、図３に示す電子楽譜表示装置の入力手段１７から、頁更新情報を制御手段に入力することで、制御手段から抽出手段に伝達される頁更新情報が変更される。
【００４９】
利用者は、演奏する楽曲や楽譜の種類に応じ、１ページ毎に更新する場合と、２ページ共に更新する場合とを選びたい場合がある。このため、容易にページ更新の選択を行うことが可能としている。この結果、表示手段２０Ａ、表示手段２０Ｂに表示される楽譜情報の頁更新数を容易に設定することができる。
【００５０】
【発明の効果】
以上、説明したように、本発明の電子楽譜表示システムによれば、オーケストラで用いる様な、多数の演奏楽器に対応した楽譜を表示する電子楽譜装置においても、複数の表示装置に、最適な状況で譜面を表示し、効率的な演奏をすることが可能となる。すなわち、本発明によれば、演奏時に楽譜が演奏者や指揮者に見やすい電子楽譜表示システムが得られる。
【図面の簡単な説明】
【図１】本発明に係る電子楽譜の表示装置を利用し、実施形態を説明するためのオーケストラ配置した状態を示す図である。
【図２】本発明一実施形態の電子楽譜表示装置の構成を説明するための図である。
【図３】本発明一実施形態における電子譜面表示装置の上部に設けられた譜面台の拡大図である。
【図４】本発明一実施形態における電子楽譜表示装置の機能ブロックを示す図である。
【図５】本発明一実施形態における操作フローを示した図である。
【図６】本発明一実施形態におけるメニューバーの実施例を説明するための図である。
【図７】図６に示したメニューバーの機能を説明するための図である。
【図８】本発明一実施形態において、図７の画面内の表示位置の調整機能の内、移動方向の制御方法を説明するための図である。
【図９】本発明一実施形態において、複数頁の楽譜の切替え状態を説明するためのブロック図である。
【符号の説明】
１…指揮者、１ｂ，１ｃ，１ｎ…演奏者、２…楽譜スタンド、３…電子楽譜表示装置、４・・・フットペダル、１０・・・電子楽譜表示システム、１１…制御手段、１２…プログラム記憶手段、１３…楽譜情報記憶手段、１４…抽出手段、１５…母線、１６…座標変換手段、１７，１９…入力手段、１８，２０Ａ，２０Ｂ…表示手段、２１…入力・表示手段、３０…メニューバー、４０…楽譜、５０…スペース、５１・・・横方向サイズ、５２…縦方向サイズ、５３…背景部。
【図１】
2004145220.tif 000003
【図２】
2004145220.tif 000004
【図３】
2004145220.tif 000005
【図４】
2004145220.tif 000006
【図５】
2004145220.tif 000007
【図６】
2004145220.tif 000008
【図７】
2004145220.tif 000009
【図８】
2004145220.tif 000010
【図９】
2004145220.tif 000011